(57)【要約】  【課題】  液晶表示装置組み立て後に、異物を起因とする黒点、白点等の表示品位の不良を防止することができる液晶表示装置を提供する。  【解決手段】  本発明の液晶表示装置２１は、ＬＥＤ４が設けられたＦＰＣ６を保持するフレーム２と、このフレーム２の外壁と密接する内壁を有し、フレーム２を収容するケース３と、を有する。上記フレーム２には、フレーム孔１が設けられており、このフレーム２がＬＥＤ４を備えたＦＰＣ６を保持するとき、そのＬＥＤ４がフレーム孔１に埋入するようになっている。【選択図】      図１
2005134566.tif 000002
【特許請求の範囲】
【請求項１】
発光体が設けられた回路基板を保持する保持体と、上記保持体の外壁と密接する内壁を有し、上記保持体を収容する収容体と、を有する液晶表示装置において、
上記保持体には、孔部が設けられており、この保持体が上記回路基板を保持するとき、上記発光体が上記孔部に埋入することを特徴とする液晶表示装置。
【請求項２】
上記保持体が上記回路基板を保持するとき、上記回路基板上の発光体の設置面が、上記保持体の回路基板を保持する保持面と密接することを特徴とする請求項１に記載の液晶表示装置。
【発明の詳細な説明】
【技術分野】
【０００１】
本発明は、ＦＰＣ（Flexible Printed Circuit）等の回路基板に設けられた、例えばＬＥＤ（Light Emitting Diode）等の光源によって、導光板（導光体）に光を供給する液晶表示装置に関するものである。
【背景技術】
【０００２】
図３（ａ）〜図３（ｃ）に示すように、従来から液晶表示パネル（ＬＣＤパネル）６２全域を均一かつ高輝度に発光させるためのライトユニット７３を備えた液晶表示装置７１が種々提案されている。ライトユニット７３は、例えば暗い場所であっても液晶表示パネル６２に最適で均一な照明を提供するものであり、昨今の低消費電力での駆動が要求される携帯電話、携帯情報端末等において必要不可欠な部品となっている。
【０００３】
ライトユニット７３は、ＬＥＤ５４、レンズシート６４、拡散シート６５、導光板６６、および反射シート６７等により構成されている。また、ＬＥＤ５４は、ＦＰＣ５６上に設けられており、さらに、このＬＥＤ５４を点灯させるための入力端子５７がＦＰＣ５６上に設けられている。そして、従来ではこのライトユニット７３の組み立てのとき、導光板６６等に異物が混入するという問題があった。
【０００４】
そこで、例えば特許文献１では、導光板等の組み立て部を搭載するフレームの上に枠状のスペーサーを一体的に成形し、導光板等の上方からの異物の混入を防止する構成が開示されている。
【特許文献１】特開平６−３４７７８２号公報（請求項１、段落〔００１４〕参照）
【発明の開示】
【発明が解決しようとする課題】
【０００５】
しかしながら、入力端子５７を外部電源（不図示）に接続するため、液晶モジュールを構成する箱型状のケース（裏ケース）５３の内から外へＦＰＣ５６を引き出す構成の場合、このＦＰＣ５６の引き出し部５８の存在のため、ＦＰＣ５６を保持するフレーム５２の外壁とケース５３の内壁とを密接させることができず（上記の外壁と内壁との間に引き出し部５８が位置することになり）、隙間ができてしまい、この隙間から異物が混入してしまうという問題が生じる。つまり、特許文献１に示す構成では、ＦＰＣ５６を引き出すためにケース５３に設けられた引き出し口６８が上記の隙間となり、そこからの異物の混入を防止することができない。
【０００６】
本発明は、上記の問題点を解決するためになされたものであって、その目的は、ライトユニット等を含めた液晶表示装置の組み立て後に、上記の引き出し口からの異物の混入を防止することで、当該液晶表示装置の駆動時に、異物を起因とする黒点、白点等の表示品位の不良を防止することができる液晶表示装置を提供することにある。
【課題を解決するための手段】
【０００７】
上記の目的を達成するために、本発明の液晶表示装置は、発光体が設けられた回路基板を保持する保持体と、上記保持体の外壁と密接する内壁を有し、上記保持体を収容する収容体と、を有する液晶表示装置であって、上記保持体には、孔部が設けられており、この保持体が上記回路基板を保持するとき、上記発光体が上記孔部に埋入する構成である。
【０００８】
上記の構成によれば、発光体へ電流を供給するために、回路基板を収容体の内から外へ引き延ばしたとしても、発光体を保持体に埋入させることから、回路基板の近傍の保持体の外壁と収容体の内壁とが、他の箇所（回路基板が設けられていない箇所）の保持体の外壁と収容体の内壁と同様に密接させることができる。つまり、回路基板の存在によって、保持体の外壁と収容体の内壁とが離隔することがなくなる（回路基盤が、上記の外壁と内壁との間に位置することがなくなる）。
【０００９】
そのため、上記の離隔により生じる隙間の発生を防止することができ、この隙間に起因する異物の混入を防止できる。
【００１０】
その結果、本発明の液晶表示装置では、当該液晶表示装置の組み立て後に異物が混入することはなくなり、ひいては、液晶表示装置の駆動時に、異物混入による黒点、白点等の表示品位の不良を防止することができる。
【００１１】
また、本発明の液晶表示装置は、上記の構成に加えて、上記保持体が上記回路基板を保持するとき、上記回路基板上の発光体の置面が、上記保持体の回路基板を保持する保持面と密接することが好ましい。
【００１２】
上記の構成によると、保持体に設けた孔部を、回路基板の基板面（発光体が設けられた側の基板）で塞ぐことができ、この孔部からの異物の混入も防止できる。
【発明の効果】
【００１３】
本発明の液晶表示装置によれば、液晶表示装置の組み立て後において、当該液晶表示装置内部への異物の混入を防止することができ、ひいては、液晶表示装置の駆動時に、異物を起因とする黒点、白点等の表示品位の不良を防止することができる。
【発明を実施するための最良の形態】
【００１４】
本発明の実施の一形態について、図面に基づいて説明すれば、以下の通りである。
【００１５】
図１（ａ）は、後述する図１（ｂ）のＡ−Ａ’線矢視断面図であり、本発明の液晶表示装置（本液晶表示装置）２１を示している。図１（ｂ）は、本液晶表示装置２１の概略平面図であり、図１（ｃ）は、図１（ｂ）の矢視Ｂ−Ｂ’からの側面図である。また、図２は、本液晶表示装置の分解斜視図である。
【００１６】
本液晶表示装置２１は、液晶表示部２２、ライトユニット２３、フレーム（保持体）２、およびケース（収容体）３とを有している。
【００１７】
液晶表示部２２は、画像を表示するものであり、表偏光板１１と、裏偏光板１３と、液晶表示パネル（ＬＣＤパネル）１２とを有する構成である。そして、液晶表示パネル１２の表示面側の面上に表偏光板１１、裏側（非表示面側）の面上に裏偏光板１３が積層される構成である。つまり、表偏光板１１と裏偏光板１３とで液晶表示パネル１２を挟持するようになっている。
【００１８】
液晶表示パネル１２は、画像を表示するために、複数の画素を有する表示パネルである。表偏光板１１・裏偏光板１３は、ライトユニット２３からの入射光（照射光）における特定の偏光成分だけを透過させるものである。
【００１９】
ライトユニット２３は、液晶表示部２２に光を照射するものであり、ＬＥＤ（Light Emitting Diode）４、レンズシート１４、拡散シート１５、導光板（導光体）１６、および反射シート１７を有する構成である。そして、上記のレンズシート１４、拡散シート１５、導光板１６、および反射シート１７は、この順で液晶表示パネル１２の裏側（裏偏光板１３）から重なるように配置されている（後述するケース３の底面から上方に向かって、反射シート１７、導光板１６、拡散シート１５、およびレンズシート１４の順で配置されている）。
【００２０】
なお、ＬＥＤ４は、ＦＰＣ（回路基板）６に取り付けられており、このＬＥＤ４に電流を供給するための外部電源（不図示）と接続するため、ケース３の内から外へＦＰＣ６を引き出す構成となっている。つまり、ＦＰＣ６に引き延ばした部分（引き出し部８）が存在することになる。そして、この引き出し部８の先端には、ＬＥＤ４を点灯させるために、電流の供給を受ける入力端子７が設けられている。
【００２１】
ＬＥＤ（発光体）４は光源であり、反射シート１７は、ＬＥＤ４からの光を導光板１６に反射させるものである。導光板１６は、反射シート１７からの反射光を拡散シート１５に導くものであり、拡散シート１５は、導光板１６からの光を拡散させて液晶表示パネル１２を均一に光照射するものである。レンズシート１４は、液晶表示パネル１２の単位面積当たりの輝度を向上させるため、液晶表示パネル１２に入射する光の放射特性を偏光させるものである。
【００２２】
フレーム２は、液晶表示部２２およびＬＥＤ４の設けられたＦＰＣ６を保持するものであり、例えば枠状の形態（枠体）である。そして、この枠体（フレーム２）の枠縁２ｂ（２）によって、液晶表示部２２は枠内２a（２）に位置するように保持され、ＦＰＣ６は当該枠縁２ｂ（２）の端部によって保持されるようになっている。なお、フレーム２をケース３に収容するとき、フレーム２の外壁は、ケース３の内壁に密接（密着）するような構成となっている。
【００２３】
ケース（裏ケース）３は、液晶表示部２２およびＦＰＣ６を保持したフレーム２と、ライトユニット２３とを収容するものであり、例えば箱型状の形態（箱状体）である。そして、この箱状体（ケース３）には、底面の上方側にライトユニット２３が配置され、このライトユニット２３の上方に液晶表示部２２が配置されるようになっている。
【００２４】
すなわち、本液晶表示装置２１は、ケース３の底面から上方に向かって、ライトユニット２３、液晶表示部２２が重なるように配置され、かつ、液晶表示部２２・ＦＰＣ６を保持するフレーム２の外壁は、ケース３の内壁に密接（密着）するような構成となっている。つまり、液晶表示部２２・ＦＰＣ６と、ライトユニット２３とでフレーム２の枠縁２ｂ（２）を介在するように配置されることで構成されている。
【００２５】
なお、フレーム２・ケース３には、ＦＰＣの引き出し部８を引き出すための引き出し口１８ａ・１８ｂ（１８）が設けられている。
【００２６】
次に、本液晶表示装置２１の最も特徴的な構成について説明する。
【００２７】
本液晶表示装置２１におけるフレーム２には、例えばＬＥＤ４の形状よりも大きなフレーム孔（孔部）１が設けられており、このフレーム２がＬＥＤ４を備えたＦＰＣ６を保持するとき、そのＬＥＤ４がフレーム孔１に埋入するようになっている。
【００２８】
このような構成によると、引き出し部８の存在によって、フレーム２の外壁とケース３の内壁とが離隔することがなくなる（引き出し部８が、上記の外壁と内壁との間に位置することがなくなる）。つまり、ＬＥＤ４をフレーム２に埋入させることにより、引き出し口１８（１８ａ・１８ｂ）近傍のフレーム２の外壁とケース３の内壁とが、他の箇所のフレーム２の外壁とケース３の内壁と同様に密接させることができる。これにより、従来、引き出し口（図３（ａ）の引き出し口６８参照）を設けたことにより発生する隙間は消滅し、隙間に起因する異物の混入を防止できる。
【００２９】
以上のように、本液晶表示装置２１では、引き出し口１８を設けたことにより発生する隙間を防止でき、引き出し口１８（引き出し口１８に繋がる外部）と、ケース３内のライトユニット２３とが連通することがなくなる。そのため、ライトユニット２３をケース３内に組み込んだ後（本液晶表示装置２１の組み立て後）に、異物が混入する事態はなくなる。よって、液晶表示装置２１の駆動時における異物の混入による黒点、白点等の表示品位不良を防止することができる。
【００３０】
また、本液晶表示装置２１では、フレーム２がＬＥＤ４を備えたＦＰＣ６を保持するとき、ＬＥＤ４が設けられているＦＰＣ６の基板面（発光体の設置面（発光体設置面）６ａ）が、フレーム２がＦＰＣ６を保持する保持面（回路基板を保持する保持面（回路基板保持面）２ｃ）と密接（密着）する構成になっている。つまり、ＦＰＣ６の基板面（発光体設置面６ａ）でフレーム孔１を塞ぐようになっている。
【００３１】
従って、ＦＰＣ６の発光体設置面６ａ（６）が、フレーム２に設けたフレーム孔１を塞ぐことから、このフレーム孔１からの異物の混入も防止できる。
【００３２】
なお、本発明は上記の実施の形態に限定されず、本発明の趣旨を逸脱しない範囲で、種々の変更が可能である。例えば、ライトユニット２３の光源としては、ＬＥＤ４に限らず蛍光管等であっても構わない。また、フレーム孔１の大きさや形状も特に限定されることはなく、ＬＥＤ４の光がライトユニット２３に到達するのであれば問題ない。
【００３３】
また、本発明の液晶表示装置は、下記のように表現することもできる。
発光体が設けられた回路基板を保持する保持体と、上記回路基板と対向して配置され、上記発光体から光を供給される導光体（導光板）と、上記保持体および上記導光体を収容する収容体と、を有する液晶表示装置であって、上記回路基板と上記導光体とは、上記保持体を介在するように配置されるとともに、上記保持体には、上記発光体よりも大きな孔部が設けられており、この保持体が上記回路基板を保持するとき、上記発光体が上記孔部に埋入するとともに、上記回路基板上の発光体設置面が上記保持体と密接し、かつ、この保持体の外壁が上記収容体の内壁と密接することを特徴としている。
【００３４】
また、本発明の液晶表示装置は、発光体を有するライトユニットよりなる液晶表示装置であって、発光体は回路基板上に接続されており、ライトユニットを構成している導光体の端面に、回路基板を保持する保持体に設けた孔部を通して配し、上記の発光体−回路基板は孔部を塞ぐように構成されていることを特徴としている。
【産業上の利用可能性】
【００３５】
本発明は、例えばＬＥＤ等の発光体用の入力端子と外部電源と接続するために、液晶モジュールに開口部（引き出し口）を設ける必要のある液晶表示装置に利用可能である。
【図面の簡単な説明】
【００３６】
【図１】（ａ）は、本発明の液晶表示装置（本液晶表示装置）を示すものであり、後述する（ｂ）のＡ−Ａ’線矢視断面図である。（ｂ）は、本液晶表示装置の概略平面図である。（ｃ）は、（ｂ）の矢視Ｂ−Ｂ’からの側面図である。
【図２】本液晶表示装置の分解斜視図である。
【図３】（ａ）は、従来の液晶表示装置（従来装置）を示すものであり、後述する（ｂ）のＣ−Ｃ’線矢視断面図である。（ｂ）は、従来装置の概略平面図である。（ｃ）は、（ｂ）の矢視Ｄ−Ｄ’からの側面図である。
【符号の説明】
【００３７】
１    フレーム孔（孔部）
２    フレーム（保持体）
２ａ  フレーム枠内
２ｂ  フレーム枠縁
２ｃ  回路基板保持面
３    ケース（収容体）
４    ＬＥＤ（発光体）
６    ＦＰＣ（回路基板）
６ａ  発光体設置面
７    入力端子
８    引き出し部
１８    引き出し口
２１    液晶表示装置
【図１】
2005134566.tif 000003
【図２】
2005134566.tif 000004
【図３】
2005134566.tif 000005